(57)【要約】【課題】本発明は、鳥獣の存在を検出部で検出し、発射部からゴム弾又は忌避剤を発射することにより、安全で確実な鳥獣撃退を行うことを目的とする。【解決手段】本発明による鳥獣撃退装置は、本体(2)に設けられた発射部(4)、発信部(16)、受信部(15)、検出部(10)及び駆動部(5)からなり、鳥獣(7)の存在を検出した後、駆動部(5)が作動して発射部(4)から鳥獣撃退用部材(6)を発射して鳥獣を撃退する構成である。【選択図】図１
2008211977.tif 000002
【特許請求の範囲】
【請求項１】
本体(2)に設けられ鳥獣撃退用部材(6)を発射するための発射部(4)と、前記本体(2)に設けられ前記本体(2)に近付く鳥獣(7)の存在を検出するための検出部(10)と、を備え、
前記検出部(10)により前記鳥獣(7)の存在が検出された場合、前記発射部(4)が作動し前記鳥獣撃退用部材(6)が発射される構成としたことを特徴とする鳥獣撃退装置。
【請求項２】
前記鳥獣撃退用部材(6)はゴム弾又は忌避剤からなることを特徴とする請求項１記載の鳥獣撃退装置。
【請求項３】
前記本体(2)が、外部からの電波による作動抑制信号(14)を受信部(15)で受信した場合、前記発射部(4)の作動は抑制される構成としたことを特徴とする請求項１又は２記載の鳥獣撃退装置。
【請求項４】
前記発射部(4)が作動して前記鳥獣撃退用部材(6)が発射された場合、前記発射を知らせるための電波による警報信号(17)が発報されることを特徴とする請求項１ないし３の何れかに記載の鳥獣撃退装置。
【請求項５】
前記各発射部(4)への抑制信号(15a)は、前記受信部(15)から送信されることを特徴とする請求項３記載の鳥獣撃退装置。
【請求項６】
前記発射部(4)の発射エネルギーは、火薬以外の圧縮空気又は電磁加速機構の何れかよりなることを特徴とする請求項１ないし５の何れかに記載の鳥獣撃退装置。
【請求項７】
前記発射部(4)から発射される前記鳥獣撃退用部材(6)は、特定の方向に沿って飛翔することを特徴とする請求項１ないし６の何れかに記載の鳥獣撃退装置。
【発明の詳細な説明】
【技術分野】
【０００１】
本発明は、鳥獣撃退装置に関し、特に、設置された装置に鳥獣が近付いた場合、発射部から鳥獣撃退用部材を発射して鳥獣を撃退することができるようにするための新規な改良に関する。
【背景技術】
【０００２】
従来、用いられていたこの種の鳥獣撃退装置としては、特許文献等を開示していないが、例えば、鳥獣が振れると鈴が鳴る手段、空砲手段、かかし、布がゆれる手段等が採用されていた。
【発明の開示】
【発明が解決しようとする課題】
【０００３】
従来の鳥獣撃退装置は、以上のように構成されていたため、次のような課題が存在していた。
すなわち、前述の鈴、空砲、布等の手段を用いた場合は、一時的にはその効果を発揮することができるが、その効果は持続せず、住民の悩みの種となっていた。
【課題を解決するための手段】
【０００４】
本発明による鳥獣撃退装置は、本体に設けられ鳥獣撃退用部材を発射するための発射部と、前記本体に設けられ前記本体に近付く鳥獣の存在を検出するための検出部と、を備え、前記検出部により前記鳥獣の存在が検出された場合、前記発射部が作動し前記鳥獣撃退用部材が発射される構成であり、また、前記鳥獣撃退用部材はゴム弾又は忌避剤からなる構成であり、また、前記本体が、外部からの電波による作動抑制信号を受信部で受信した場合、前記発射部の作動は抑制される構成であり、また、前記発射部が作動して前記鳥獣撃退用部材が発射された場合、前記発射を知らせるための電波による警報信号が発報される構成であり、また、前記各発射部への抑制信号は、前記受信部から送信される構成であり、また、前記発射部の発射エネルギーは、火薬以外の圧縮空気又は電磁加速機構の何れかよりなる構成であり、また、前記発射部から発射される前記鳥獣撃退用部材は、特定の方向に沿って飛翔する構成である。
【発明の効果】
【０００５】
本発明による鳥獣撃退装置は、以上のように構成されているため、次のような効果を得ることができる。
すなわち、鳥獣の接近を検出した場合、発射部が作動してゴム弾又は忌避剤からなる鳥獣撃退用部材が発射されるため、従来の手段に比べると、極めて有効な鳥獣撃退効果を得ることができる。
また、鳥獣撃退装置を点検するために点検者が装置に接近した場合、この点検者側から発信される電波による作動抑制信号を装置側が受信し、発射部の作動が抑制されるため、安全な点検を行うことができる。
また、発射部が作動して鳥獣撃退用部材が発射された場合、発射を知らせる警報信号が発報されるため、容易に発射の有無を確認することができる。
また、発射部における鳥獣撃退用部材の発射エネルギーは火薬以外の圧縮空気又は電磁加速機構を用いているため、高い安全性を得ることができる。
また、発射される鳥獣撃退用部材は、指向性を有して飛翔するため、目的とするため、撃退効率を向上させることができる。
【実施例】
【０００６】
以下、図面と共に本発明による鳥獣撃退装置の好適な実施の形態について説明する。
尚、従来例と同一又は同等部分には同一符号を付して説明する。
図１において符号１で示されるものは全体形状がほぼ箱状をなす鳥獣撃退装置であり、この鳥獣撃退装置１は、従来、使用されている周知の指向性地雷を改良して用いることができる。
【０００７】
前記鳥獣撃退装置１の本体２は、複数の足３を介して地面上に植設できるように構成されている。
前記本体２の上部には、開口状の発射部４が設けられ、この発射部４には、発射エネルギーとして圧縮空気又は電磁加速機構などを用い、火薬系の材料を使用しない構成の駆動部５（火薬には前記本体２内に内設されている）により、この発射部４内でバッチ式に供給される鳥獣撃退用部材６を発射することができるように構成されている。
【０００８】
尚、前述の発射部４は、前記鳥獣撃退用部材６を発射する場合、この鳥獣撃退用部材６が特定の方向のみに集中して飛翔するように指向性を有するように構成されている。
また、前記鳥獣撃退用部材６は、ゴム等で形成された弾性を有するゴム弾又は忌避剤等で構成されている。
【０００９】
前記本体２には、図３で示されるように、鳥獣７等がこの本体２の検出部１０によって存在が検出される作動用トラップ１１内に侵入すると、これを検出部１０が検出することができるように構成されている。尚、この検出部１０は、周知の光式、レーザ式、磁気式、無線式、赤外線式等の何れかの構成が用いられている。
【００１０】
前記本体２には、受信部１５が設けられ、前記鳥獣撃退装置１の点検等又は巡回等のために、前記作動用トラップ１１内に点検者又は巡回者１２が侵入すると、この点検者又は巡回者１２は、発信機１３を有しているため、この発信機１３からの電波による作動抑制信号１４が前記受信部１５で受信されるように構成されている。
【００１１】
前記本体２には、発信部１６が設けられており、この発信部１６は前記駆動部５による前記発射部４が作動した時に、これと連動して鳥獣撃退用部材６が発射されたことを示す警報信号１７を発信し、この警報信号１７は図示しない基地等へ無線送信されるように構成されている。
【００１２】
次に、動作について述べる。まず、図１で示されるように、鳥獣撃退装置１を作動状態にセットした後、前記作動用トラップ１１に、鳥獣７が侵入した場合、前記検出部１０が検出し、検出信号１０ａが前記駆動部５に入力されて駆動部５が作動し、前記発射部４が前記鳥獣撃退用部材６を発射して、鳥獣７が退散する。同時に警報信号１７が発報される。
【００１３】
また、前記鳥獣撃退装置１が作動状態において、図２に示されるように、点検者又は巡回者１２が発信機１３から作動抑制信号１４を発信しつつ作動用ストラップ１１内に侵入すると、この作動抑制信号１４が受信部１５に受信されることによって、この受信部１５からの抑制信号１５ａが発射部４に入力され、前記発射部４の作動は抑制され、前記点検者又は巡回者１２は安全な状態で鳥獣撃退装置１の点検及び巡回等を行うことができる。
尚、発射部４の作動の抑制が行われる場合は、前記駆動部５の作動の抑制も同時に連動して行われるように構成されている。
【図面の簡単な説明】
【００１４】
【図１】本発明による鳥獣撃退装置を示す構成図である。
【図２】図１における作動抑制状態を示す構成図である。
【図３】図１の鳥獣撃退装置の内部構成を示す構成図である。
【符号の説明】
【００１５】
１    鳥獣撃退装置
２    本体
３    足
４    発射部
５    駆動部
６    鳥獣撃退用部材
７    鳥獣
１０    検出部
１０ａ    検出信号
１１    作動用トラップ
１２    点検者又は巡回者
１３    発信機
１４    作動抑制信号
１５    受信部
１６    発信部
１５ａ    抑制信号
１７    警報信号
【図１】
2008211977.tif 000003
【図２】
2008211977.tif 000004
【図３】
2008211977.tif 000005